(57)【特許請求の範囲】
【請求項１】
光源を収容する火袋と、
前記火袋の上部を保持する火袋吊り具が立設されると共に、前記火袋吊り具が立設される面の反対側の下面に複数本の脚が取付けられる基台と、
前記基台の上面側に取付けられ、前記火袋の下部を前記基台に固定する火袋止め具とを具備し、
更に、前記火袋止め具は、
下方に向かって縮径するテーパ状の斜状部を有する複数の逆円錐台の係止片を前記基台に穿設した取付穴に装着し、前記係止片の前記斜状部の周囲が前記基台に穿設した前記取付穴の周面に係合し、前記基台の前記取付穴からの移動離脱が防止される保持部材と、
下端面が前記基台の上面に当接しないように水平方向に延び、回動によって前記基台の周囲から食み出し、前記火袋の下部外輪の移動を拘束するストッパ部、及び前記ストッパ部の下部から垂直方向に延び、下端に向かって縮径するテーパ状の係止突部が、前記保持部材の貫通孔に挿入されて係合し、離脱が防止される軸部を有する回動部材と
を具備することを特徴とする提灯。
【請求項２】
光源を収容する火袋と、
前記火袋の下面に取付けられる基台と、
前記基台の前記火袋側に取付けられ、前記火袋の下部を前記基台に固定する火袋止め具とを具備し、
更に、前記火袋止め具は、
下方に向かって縮径するテーパ状の斜状部を有する複数の逆円錐台の係止片を前記基台に穿設した取付穴に装着し、前記係止片の前記斜状部の周囲が前記基台に穿設した前記取付穴の周面に係合し、前記基台の前記取付穴からの移動離脱が防止される保持部材と、
下端面が前記基台の上面に当接しないように水平方向に延び、回動によって前記基台の周囲から食み出し、前記火袋の下部外輪の移動を拘束するストッパ部、及び前記ストッパ部の下部から垂直方向に延び、下端に向かって縮径するテーパ状の係止突部が、前記保持部材の貫通孔に挿入されて係合し、離脱が防止される軸部を有する回動部材と
を具備することを特徴とする提灯。
【発明の詳細な説明】
【技術分野】
【０００１】
本発明は、お盆用、葬祭用、納涼用、装飾用、照明用等に使用される据え置き型等の提灯で、大内行灯、行灯、灯篭とも呼ばれるもので、特に、火袋止め具の構造に関するものである。
【背景技術】
【０００２】
据え置き型の提灯として、例えば、本発明者らが先に特許を取得した特許文献１に開示された提灯を挙げることができる。特許文献１に開示された提灯を始めとする一般的な据え置き型の提灯（Usual）においては、図１３に示すように、主に、光源を収容する火袋（Ｕ５）（なお、ここで（ ）内の数字は、特許文献１の図面の構成部品を示すものであり、それを区別するために頭部に「Ｕ」を付して表現する。）と、火袋（Ｕ５）の下部が設置される基台（Ｕ１）（ツバ、ロクロとも呼ばれる）と、基台（Ｕ１）の下部に取付けられる複数本の脚（Ｕ３）（下足とも呼ばれる）と、基台（Ｕ１）に立設され、火袋（Ｕ５）の上部を保持する火袋吊り具（Ｕ２）とから構成されており、通常、基台（Ｕ１）には、火袋（Ｕ５）の下部外輪（Ｕ５３）をフランジ（Ｕ１１）に固定するための火袋止め具（Ｕ２３）（押さえ具）が取付けられている。
【０００３】
そして、特許文献１に開示された従来の火袋止め具（Ｕ２３）は、図１４に示すように、一端を外方向斜め上方に屈曲させた平板状の金属金具をネジや釘によって基台（１）の上部に回動自在に取付けている。
【先行技術文献】
【特許文献】
【０００４】
【特許文献１】特開２００４−４７４２９
【発明の概要】
【発明が解決しようとする課題】
【０００５】
ここで、特許文献１に開示された従来の火袋止め具（Ｕ２３）は、上述の如く、金属板の金具であり、かつ、回動操作を行い易くするために金属板の一端を外方向斜め上方に屈曲させていることから、提灯の使用にあたって提灯を組み立てる際や解体する際に、不意に、提灯の構成部品や作業周辺にある物に対して傷を付けてしまう恐れがあった。
また、嵩張りや収納の観点から、購入時に火袋止め具（Ｕ２３）と基台（Ｕ１）とが別途となっていて、購入後に火袋止め具（Ｕ２３）を基台（Ｕ１）に取付ける形態の場合に、従来においては、ネジや釘によって火袋止め具（Ｕ２３）を回動自在に基台（Ｕ１）に取付ける構造であったことから、ネジの締め具合や釘の打ち込み具合によっては火袋止め具（Ｕ２３）の金具の下面が回動により基台（Ｕ１）に当接し、基台（Ｕ１）を傷付けてしまう恐れがあった。そのうえ、火袋止め具（Ｕ２３）の繰り返しの回動操作により、ネジや釘等に緩みが生じやすく、金具の下面が回動により基台（Ｕ１）に当接して基台（Ｕ１）を傷付けてしまわないよう微調整が必要となることもあり、金具とネジや釘とを適切な位置に調節し、維持することが困難で、この点でも使用性に劣っていた。
【０００６】
そこで、本発明は、かかる不具合を解決すべくなされたものであって、作業時の傷付きを防止でき、作業性や加工性にも優れた提灯の提供を課題とするものである。
【課題を解決するための手段】
【０００７】
請求項１の発明の提灯は、光源を収容する火袋の上部を保持する火袋吊り具が立設されると共に、前記火袋吊り具が立設される面の反対側の下面に複数本の脚が取付けられる基台の上面側に取付けられ、前記火袋の下部を前記基台に固定する火袋止め具は、前記基台に穿設した取付穴に装着される保持部材と、前記保持部材に対して回動自在に挿入され、前記保持部材との係合によって離脱を防止する軸部及び前記軸部の上部から水平方向に延びたストッパ部を有する回動部材で構成されたものである。
【０００８】
ところで、上記火袋は、ローソク、なつめ電球、ＬＥＤ等の光源を収容する、所謂、提灯の本体部分を意味するものである。
また、上記基台は、光源を保持し、火袋の下部が設置され、かつ、火袋吊り具の取付台となるものであり、この火袋吊り具は、提灯を展開するのに必要な背骨に当るものである。
【０００９】
そして、上記火袋止め具は、基台に設置される火袋下部の上方向への移動を規制して火袋を基台に固定し、火袋の基台からの離脱を防止するものであり、基台に穿設した取付穴に装着される保持部材と、この保持部材に対して回動自在に装着され、火袋の上方向への移動を規制する回動部材とによって構成されている。
【００１０】
上記保持部材は、回動部材が挿入されて回動部材を回動自在に保持するものであり、また、基台に穿設した取付穴に挿入されて基台に取付けられるものである。その取付手段は、火袋の展開により回動部材を介して保持部材が上方向に引っ張られたときでも取付穴から離脱する（上方へ抜け出す）ことなく、安定した取付状態を維持できれば、特に問われるものではなく、例えば、係止片を形成し、この係止片を基台に係合させる物理的手段や、接着剤やネジ等による機械的手段等が挙げられる。
【００１１】
また、上記回動部材は、保持部材に対して回動自在に挿入されるものであり、保持部材との係合によって離脱を防止する軸部と、当該軸部の上部から水平方向に延びて基台の上面側に配設され、火袋の下部に対向してその上方向への移動を規制するストッパ部とを有するものである。
ここで、上記回動部材の軸部において、保持部材との係合によって離脱を防止するとは、火袋の展開により回動部材に上方向への引っ張り力が加えられたときでも、回動部材の軸部と保持部材との係合によって軸部の上方向への移動を規制して保持部材から抜け出ることのないようにすることを意味する。
【００１２】
加えて、本発明の前記火袋止め具の保持部材は、前記軸部が挿通される貫通孔を有し、前記基台に穿設した取付穴に弾接し、その離脱を困難とする係止片を設けたものである。
ここで、上記軸部が挿通される貫通孔は、軸部に対して所定の接触抵抗で軸部を回動自在に保持することができれば、その形状は、特に問われるものではなく、水平断面が略円形状の貫通孔とすることもできるし、水平断面を略角形状に形成することもできる。
【００１３】
また、本発明の前記火袋止め具の保持部材は、下方に向かって縮径するテーパ状の斜状部を有する逆円錐台の係止片を有し、前記係止片における斜状部の周囲が前記基台に穿設した取付穴の周面に係合することにより、前記取付穴からの離脱が防止されるものである。
ここで、上記保持部材は、下方に向かって縮径するテーパ状の斜状部を複数段有する逆円錐台の係止片を有し、前記係止片における斜状部の周囲が前記基台に穿設した取付穴の周面に係合するものである。
【００１４】
そして、本発明の前記火袋止め具の軸部は、前記保持部材に対して回動自在に挿入され、自己の弾性力によって前記保持部材の端部と係合してその離脱を防止するものである。
ここで、前記保持部材の端部と前記軸部との係合とは、前記保持部材の端部に前記軸部の端部が係合することにより軸部の離脱が防止できればよい。
【００１５】
更に、本発明の前記火袋止め具のストッパ部は、前記軸部の上部から水平方向に延び、その下端面が前記基台の上面に当接しないように配設され、回動によって基台の周囲から食み出して突出するものである。
ここで、前記軸部の上部から水平方向に延び、その下端面が前記基台の上面に当接しないように配設とは、前記軸部の基端部に形成したストッパ部が前記基台の上面に接触して擦り傷等を生じさせないものであればよい。
【００１６】
請求項２の発明の提灯は、光源を収容する火袋の下面に取付けられる基台の前記火袋側に取付けられ、前記火袋の下部を前記基台に固定する火袋止め具は、前記基台に穿設した取付穴に装着される保持部材と、前記保持部材に対して回動自在に挿入され、前記保持部材との係合によって離脱を防止する軸部及び前記軸部の上部から水平方向に延びたストッパ部を有する回動部材で構成されたものである。
【００１７】
ところで、上記火袋は、ローソク、なつめ電球、ＬＥＤ等の光源を収容する、所謂、提灯の本体部分を意味するものである。
また、上記基台は、光源を保持し、火袋の下部が設置される取付台となるものである。
【００１８】
そして、上記火袋止め具は、基台に設置される火袋下部の上方向への移動を規制して火袋を基台に固定し、火袋の基台からの離脱を防止するものであり、基台に穿設した取付穴に装着される保持部材と、この保持部材に対して回動自在に装着され、火袋の上方向への移動を規制する回動部材とによって構成されている。
【００１９】
上記保持部材は、回動部材が挿入されて回動部材を回動自在に保持するものであり、また、基台に穿設した取付穴に挿入されて基台に取付けられるものである。その取付手段は、火袋の展開により回動部材を介して保持部材が上方向に引っ張られたときでも取付穴から離脱する（上方へ抜け出す）ことなく、安定した取付状態を維持できれば、特に問われるものではなく、例えば、係止片を形成し、この係止片を基台に係合させる物理的手段や、接着剤やネジ等による機械的手段等が挙げられる。
【００２０】
また、上記回動部材は、保持部材に対して回動自在に挿入されるものであり、保持部材との係合によって離脱を防止する軸部と、当該軸部の上部から水平方向に延びて基台の上面側に配設され、火袋の下部に対向してその上方向への移動を規制するストッパ部とを有するものである。
ここで、上記回動部材の軸部において、保持部材との係合によって離脱を防止するとは、火袋の展開により回動部材に上方向への引っ張り力が加えられたときでも、回動部材の軸部と保持部材との係合によって軸部の上方向への移動を規制して保持部材から抜け出ることのないようにすることを意味する。
【００２１】
加えて、本発明の前記火袋止め具の保持部材は、前記軸部が挿通される貫通孔を有し、前記基台に穿設した取付穴に弾接し、その離脱を困難とする係止片を設けたものである。
ここで、上記軸部が挿通される貫通孔は、軸部に対して所定の接触抵抗で軸部を回動自在に保持することができれば、その形状は、特に問われるものではなく、水平断面が略円形状の貫通孔とすることもできるし、水平断面を略角形状に形成することもできる。
【００２２】
また、本発明の前記火袋止め具の保持部材は、下方に向かって縮径するテーパ状の斜状部を有する逆円錐台の係止片を有し、前記係止片における斜状部の周囲が前記基台に穿設した取付穴の周面に係合することにより、前記取付穴からの離脱が防止されるものである。
ここで、上記保持部材は、下方に向かって縮径するテーパ状の斜状部を複数段有する逆円錐台の係止片を有し、前記係止片における斜状部の周囲が前記基台に穿設した取付穴の周面に係合するものである。
【００２３】
そして、本発明の前記火袋止め具の軸部は、前記保持部材に対して回動自在に挿入され、自己の弾性力によって前記保持部材の端部と係合してその離脱を防止するものである。
ここで、前記保持部材の端部と前記軸部との係合とは、前記保持部材の端部に前記軸部の端部が係合することにより軸部の離脱が防止できればよい。
【００２４】
更に、本発明の前記火袋止め具のストッパ部は、前記軸部の上部から水平方向に延び、その下端面が前記基台の上面に当接しないように配設され、回動によって基台の周囲から食み出して突出するものである。
ここで、前記軸部の上部から水平方向に延び、その下端面が前記基台の上面に当接しないように配設とは、前記軸部の基端部に形成したストッパ部が前記基台の上面に接触して擦り傷等を生じさせないものであればよい。
【発明の効果】
【００２５】
請求項１の発明に係る提灯は、光源を収容する火袋の上部を保持する火袋吊り具が立設されると共に、前記火袋吊り具が立設される面の反対側の下面に複数本の脚が取付けられる基台の上面側に取付けられ、前記火袋の下部を前記基台に固定する火袋止め具は、前記基台に穿設した取付穴に装着される保持部材と、前記保持部材に対して回動自在に挿入され、前記保持部材との係合によって離脱を防止する軸部及び前記軸部の上部から水平方向に延びたストッパ部を有する回動部材で構成されたものである。
したがって、回動部材を保持部材に挿入するという簡単な操作で、回動部材が保持部材に回動自在に安定して保持され、回動部材の回動によって基台を傷付けることのない適切な位置にその取付状態が維持されることになる。また、使用者にとっても、火袋止め具の回動部材において、その回動によって基台を傷付けることのない適切な位置への取付けが容易にできることになる。故に、この発明に係る提灯は、作業時の傷付きを防止でき、作業性や加工性に優れるものである。
【００２６】
加えて、本発明に係る提灯の前記火袋止め具の保持部材は、前記軸部が挿通される貫通孔を有し、前記基台に穿設した取付穴に弾接し、その離脱を困難とする係止片を設けたものであるから、前記貫通孔に前記軸部が挿通されるだけで、適切な位置に回動部材を保持し、また、係止片によって基台に穿設した取付穴に弾接し、取付穴からの離脱が困難となる。よって、簡単な係合方法であり、安定した取付け状態が維持できる。
【００２７】
また、本発明に係る提灯の前記火袋止め具の保持部材は、下方に向かって縮径するテーパ状の斜状部を有する逆円錐台の係止片を有し、前記係止片における斜状部の周囲が前記基台に穿設した取付穴の周面に係合することにより、前記取付穴からの離脱が防止されるものであるから、前記基台に穿設した取付穴に簡単に挿着でき、容易に離脱できなくなる。即ち、簡単な構成で安定した取付け状態が維持できる。
【００２８】
そして、本発明に係る提灯の前記火袋止め具の軸部は、前記保持部材に対して回動自在に挿入され、自己の弾性力によって前記保持部材の端部と係合してその離脱を防止するものであるから、本発明に係る提灯は前記保持部材に前記軸部が挿入されるだけで、前記保持部材の端部と係合してその離脱が困難となる。したがって、簡単な係合方法であり、安定した取付け状態が維持できる。
【００２９】
更に、本発明に係る提灯の前記火袋止め具のストッパ部は、前記軸部の上部から水平方向に延び、その下端面が前記基台の上面に当接しないように配設され、回動によって基台の周囲から食み出して突出する構造を有しているから、本発明に係る提灯は回動部材のストッパ部の下面が基台の上面に当接しない適切な配置状態となり、かつ、回動部材を保持部材の貫通孔に挿入するだけで、確実に前記回動部材の回動によって基台を傷付けることのない適切な位置に回動部材が保持部材に取付けられることになる。
【００３０】
請求項２の発明に係る提灯は、光源を収容する火袋の下面に取付けられる基台の前記火袋側に取付けられ、前記火袋の下部を前記基台に固定する火袋止め具は、前記基台に穿設した取付穴に装着される保持部材と、前記保持部材に対して回動自在に挿入され、前記保持部材との係合によって離脱を防止する軸部及び前記軸部の上部から水平方向に延びたストッパ部を有する回動部材で構成されている。
したがって、回動部材を保持部材に挿入するという簡単な操作で、回動部材が保持部材に回動自在に安定して保持され、回動部材の回動によって基台を傷付けることのない適切な位置にその取付状態が維持されることになる。また、使用者にとっても、火袋止め具の回動部材において、その回動によって基台を傷付けることのない適切な位置への取付けが容易にできることになる。故に、この発明に係る提灯は、作業時の傷付きを防止でき、作業性や加工性に優れるものである。
【００３１】
加えて、本発明に係る提灯の前記火袋止め具の保持部材は、前記軸部が挿通される貫通孔を有し、前記基台に穿設した取付穴に弾接し、その離脱を困難とする係止片を設けたものであるから、本発明に係る提灯は前記貫通孔に前記軸部が挿通されるだけで、適切な位置に回動部材を保持し、また、係止片によって基台に穿設した取付穴に弾接し、取付穴からの離脱が困難となる。簡単な係合方法であり、安定した取付け状態が維持できる。
【００３２】
また、本発明に係る提灯の前記火袋止め具の保持部材は、下方に向かって縮径するテーパ状の斜状部を有する逆円錐台の係止片を有し、前記係止片における斜状部の周囲が前記基台に穿設した取付穴の周面に係合することにより、前記取付穴からの離脱が防止されるものであるから、本発明に係る提灯は前記基台に穿設した取付穴に簡単に挿着でき、容易に離脱できなくなる。即ち、簡単な構成で安定した取付け状態が維持できる。
【００３３】
そして、本発明に係る提灯の前記火袋止め具の軸部は、前記保持部材に対して回動自在に挿入され、自己の弾性力によって前記保持部材の端部と係合してその離脱を防止するものであるから、前記保持部材に前記軸部が挿入されるだけで、前記保持部材の端部と係合してその離脱が困難となる。したがって、本発明に係る提灯は簡単な係合方法であり、安定した取付け状態が維持できる。
【００３４】
更に、本発明に係る提灯の前記火袋止め具のストッパ部は、前記軸部の上部から水平方向に延び、その下端面が前記基台の上面に当接しないように配設され、回動によって基台の周囲から食み出して突出する構造を有しているから、回動部材のストッパ部の下面が基台の上面に当接しない適切な配置状態となり、かつ、回動部材を保持部材の貫通孔に挿入するだけで、確実に前記回動部材の回動によって基台を傷付けることのない適切な位置に回動部材が保持部材に取付けられることになる。
【図面の簡単な説明】
【００３５】
【図１】図１は本発明の実施の形態に係る提灯の全体構造を示す全体斜視図である。
【図２】図２は本発明の実施の形態に係る提灯の火袋が火袋止め具によって基台に固定される状態を示す火袋周辺の部分斜視図及びその要部拡大図である。
【図３】図３は本発明の実施の形態に係る提灯の火袋止め具の構造を説明するための分解斜視図である。
【図４】図４は本発明の実施の形態に係る提灯の火袋止め具の詳細を示す斜視図である。
【図５】図５は本発明の実施の形態に係る提灯の火袋止め具が基台に取付けられた状態を示す図２の切断線Ａ−ＡによるＡ−Ａ断面図である。
【図６】図６は本発明の実施の形態に係る提灯の火袋止め具における保持部材の貫通孔の形状を説明するための説明図であり、（ａ）は貫通孔を丸孔とした事例の説明図であり、（ｂ）は貫通孔を三角孔とした事例の説明図である。
【図７】図７は本発明の実施の形態に係る提灯の火袋止め具における保持部材の貫通孔の形状を説明するための説明図であり、（ａ）は貫通孔を四角孔とした事例の説明図、（ｂ）は貫通孔を六角孔とした事例の説明図である。
【図８】図８は本発明の実施の形態に係る提灯の火袋止め具の変形例１に係る回動部材の軸部を説明するための説明図であり、（ａ）は斜視図、（ｂ）は基台に取付けられた状態を示す断面図である。
【図９】図９は本発明の実施の形態に係る提灯の火袋止め具の変形例２に係る回動部材のストッパ部を説明するための説明図であり、（ａ）は斜視図、（ｂ）は側面図、（ｃ）は上から見た平面図である。
【図１０】図１０は本発明の実施の形態に係る提灯の火袋止め具の変形例３に係るに回動部材のストッパ部を説明するための説明図であり、（ａ）は斜視図、（ｂ）は側面図、（ｃ）は上から見た平面図である。
【図１１】図１１は本発明の実施の形態に係る提灯の火袋止め具の変形例４に係るに保持部材を説明するための説明図であり、（ａ）は斜視図、（ｂ）は上から見た平面図、（ｃ）は側面図である。
【図１２】図１２は本発明の実施の形態に係る提灯の火袋止め具の変形例５に係る保持部材を説明するための説明図であり、（ａ）は斜視図、（ｂ）は上から見た平面図、（ｃ）は側面図である。
【図１３】図１３は従来の据え置き型の提灯の一般的な構造を説明するための提灯の斜視図である。
【図１４】図１４は従来の火袋止め具を説明するための火袋止め具周辺の部分斜視図及びその拡大図である。
【発明を実施するための形態】
【００３６】
以下、本発明の実施の形態について、図面を参照しながら説明する。
なお、本実施の形態において、同一の記号及び同一の符号は同一または相当する機能部分を意味するものであるから、ここでは重複する詳細な説明を省略する。
【００３７】
［実施の形態］
まず、本発明の実施の形態に係る提灯の全体構造について、図１及び図２を参照して説明する。
図１に示すように、本実施の形態に係る提灯Ｌは、蝋燭や電球等の光源を収容する火袋１と、火袋１の下部が設置される略円盤状の基台１０と、基台１０の下面側に取付けられる複数本（図１においては、約１２０℃の間隔で放射線状に３本）の脚２０と、基台１０の上面側に立設され火袋１の上部を保持する火袋吊り具３０とを基本骨格として構成されており、更に、基台１０の上面側に設けられ火袋１の下部を固定する火袋止め具４０を有している。
【００３８】
火袋１は、竹ひご等の細線材で全体の骨組みを形成し、それに和紙や絹等を張って伸縮自在に形成された本体２と、本体２の上部に設けられ所定幅のリング状からなる木製の上部外輪３と、本体１の下部に設けられ同じく所定幅のリング状からなる木製の下部外輪４とから構成されており、上部外輪３には火袋１を吊るための吊り紐３ａが配設されている。
【００３９】
基台１０は、下部外周に外方に向かって突出するフランジ部１１が一体形成された円盤体であり、フランジ部１１の上側に火袋１の下部外輪４が載置されるようになっている。因みに、基台１０において、フランジ部１１より上部の厚さは、下部外輪４をフランジ部１１上に載置して基台１０の周囲に嵌め込んだときに、基台１０の上面と下部外輪４の上面とが略面一となるように下部外輪４の厚さと略同一に形成されている。
また、基台１０の略中央部には、発光手段である電球等の光源を取付けるための光源取付孔１２が厚み方向（上下方向）に貫通して形成されており、光源が着脱自在に設けられるようになっている。なお、通常、基台１０の上部周縁には後述する火袋吊り具３０の一対の支柱３１を立設するための一対の凹部１２ａ（図１のみ図示。図２及び図３においては、図示省略されている。）が形成されており、また、基台１０の下面側には後述する複数の脚２０を取付けるための複数の凹部（図示せず）が形成されている。
【００４０】
脚２０は、基台１０を支える支持脚であり、基台１０の下面側に取付けられるものである。基台１０への接続は公知の手段が採用され、通常、上端部に凸部（図示せず）が形成されており、この凸部（図示せず）を基台１０の下面部に形成された凹部（図示せず）に嵌合させることにより、基台１０の下面側に取付けられるようになっている。脚２０が基台１０の下面側に取付けられた後は、脚２０の内側で上下方向の略中央部に略三角形の補強部材２１が装着され、脚２０が互いに連結して補強されると共に、各脚２０間の間隔が維持されて位置決めされ、各脚２０の配置が固定される。なお、補強部材２１の脚２０への接続も公知の手段が採用され、通常、補強部材２１の端部に形成した凸部（図示せず）と、脚２０の内側の上下方向の略中央部に設けた凹部（図示せず）との嵌合によって行われる。
【００４１】
火袋吊り具３０は、火袋１の上部を保持する一対の支柱３１と、一対の支柱３１の上端を跨ぐようにして取付けられて支柱３１を所定の感覚で維持する略Ｃ字状の雲手３２から構成されている。そして、雲手３２の下方であって、一対の支柱３１の上部外側部には一対の釘状の掛け具３３が突設されており、火袋１の上部外輪３に取付けられた吊り紐３ａが掛けられるようになっている。一対の支柱３１の基台１０への接続は公知の手段が採用され、通常、一対の支柱３１の下端に形成された凸部（図示せず）を基台１０の上部周縁に形成された凹部１２ａ（図１）に嵌入することによって、基台１０の上部に立設される。また、一対の支柱３１と略Ｃ字状の雲手３２との接続も公知の手段が採用され、通常、支柱３１の上部外側部に形成された凹部（図示せず）と略Ｃ字状の雲手２１の端部に設けられた凸部（図示せず）の嵌合によって行われる。
【００４２】
これらの基本的形態はそれが公知のものと相違するものではなく、個々の部品形状が相違するものがあっても、公知の提灯の構成である。また、基台１０、脚２０、火袋吊り具３０は、通常、ほぼ全体が木製で構成されている。
そして、このように構成される提灯Ｌは、基台１０の下面側に脚２０を取付け、また、基台１０の上面側に火袋吊り具３０を取付け、更に、火袋１の下部外輪４を基台１０のフランジ部１１上に載置して基台１０の外周に嵌め込み、火袋１の吊り紐３ａを火袋吊り具３０の掛け具３３に掛けることで火袋１が展開し、使用状態とされる。
【００４３】
このとき、図２に示すように、基台１０の上面側には、その中心に対して同心円状に約１２０℃の間隔で３つの火袋止め具４０が設けてあるので、この火袋止め具４０を基台１０のフランジ部１１上に載置された火袋１の下部外輪４に対向するよう配置させることで、火袋１の展開によって火袋１が基台１０から離脱する（外れる）のを防止することができ、火袋１を基台１０に安定して固定することができる。
なお、図１及び図２において、火袋止め具４０は、基台１０の中心に対して同心円状に約１２０℃の間隔で基台１０の周縁側に３つ設けられているが、本発明を実施する場合には、火袋１を基台１０に安定して固定することができれば、その数はこれに限定されるものではなく、通常は、２個乃４個程度設けられる。
【００４４】
ここで、本実施の形態に係る火袋止め具４０の詳細な構造について図３乃至図７を参照して説明する。
本実施の形態に係る火袋止め具４０は、図３乃至図７に示すように、水平方向に延びるストッパ部５１及びストッパ部５１の下部から垂直に突出する軸部５２が合成樹脂により一体成形されてなる回動部材５０と、回動部材５０の軸部５２が挿通される貫通孔６３を有し、同じく合成樹脂により一体形成されてなる保持部材６０とから構成されている。
【００４５】
具体的に、本実施の形態に係る回動部材５０のストッパ部５１は、その上面が一様に水平に形成されており、その下面は段差状に形成され、後述する保持部材６０が基台１０の取付穴１３に嵌入された状態で生じるフランジ部６２と基台１０の上面との段差に対応している（図５参照）。なお、便宜上、段差状に形成された下面のうち、下部に向かって軸部５２が突出形成されている面を軸部形成面５３とし、軸部形成面５３から段差を介して連続に形成され、火袋１の下部外輪４に対向させる面を押さえ面５４とした。
また、ストッパ部５１の長手方向一端の側面側には、押さえ面５４から連続して斜め上方向に傾斜する傾斜面５５が形成されており、下部が上方に向かってカーブする形状となる火袋１の展開状態に対応可能となっている。
更に、傾斜面５５が形成されている側の長手方向端部は、手を掛けて容易に回動操作を行うための上方突部５６とされている。
【００４６】
ストッパ部５１の下部から垂直方向に突出した軸部５２は、その下部に、下端に向かって縮径するテーパ状の係止突部５７を形成しており、この係止突部５７を含む軸部５２の下部の水平方向略中央には、軸部５２を２分する縦方向のスリット溝部５８が形成されている。そして、この軸方向（上下方向）に延びて下部に向かって開口するスリット溝部５８によって、係止突部５７の内方（縮径方向）への弾性変形が許容され、係止突部５７は弾性的に変位可能となっている。また、係止突部５７の上面は、軸方向に略直交する段差面５７ａとされていて、後述するように、弾性変形により保持部材６０の貫通孔６３を通過した係止突部５７は、自己の弾性力により形状復帰して、その段差面５７ａが貫通孔６３周囲の保持部材６０の下端面に対向するようになっている。そして、火袋１の展開により上方への外力が加えられたときでも、この段差面５７ａが貫通孔６３周囲の保持部材６０の下端面に当接し、貫通孔６３に挿通された軸部５２の上方向の移動が規制されるようになっている。
【００４７】
なお、係止突部５７の略水平方向（軸方向に対して略直交する方向）への突出度合は、スリット溝部５８を閉塞させる方向にスリット溝部５８両側の係止突部５７を互いに弾性変形させて接近させたときに、スリット溝部５８を介しての係止突部５７の直径が、後述する保持部材６０の貫通孔６３の直径より小さくなり、係止突部５７の貫通孔６３への通過が許容されるよう適宜範囲に設定される。
【００４８】
そして、本実施の形態においては、後述するように、保持部材６０が基台１０に装着された状態において、保持部材６０がフランジ部６２の厚み分だけ基台１０の上面から突出する構造となっており、上述の如く、それに対応すべくストッパ部５１の下面は段差状に形成され、軸部形成面５３が押さえ面５４より上側に位置し、回動部材５０の保持部材６０への装着状態で、軸部形成面５３は基台１０の上面に接触しない位置関係となっているが、更に、ストッパ部５１の下端面となる押さえ面５４においても、基台１０の上面に当接しない構造となるように、軸部形成面５３と押さえ面５４との段差寸法が設計される。具体的には、回動部材５０の保持部材６０への装着状態で、ストッパ部５１がその押さえ面５４と基台１０の上面との間に約０．２ｍｍ〜約１ｍｍの間隙を設けて配設されるように設定される。また、ストッパ部５１の長さは、回動によって基台１０の上面周囲から食み出して突出するよう、基台１０に対して相対的に設定される。
【００４９】
ストッパ部５１の押さえ面５４と基台１０の上面との間の間隙は、保持部材６０のフランジ部６２の厚みと軸部形成面５３との接触によって決定され、押さえ面５４は火袋１の下部外輪４をがたつくことなく押圧するように、軸部形成面５３の面よりも基台１０側にその面が形成されている。即ち、軸部形成面５３の面と押さえ面５４との間に段差をなくしても、火袋１の下部外輪４をがたつくことなく押圧する構造にするには、火袋１の下部外輪４を幅広に形成すればよい。故に、軸部形成面５３の面と押さえ面５４との間の段差は、本発明を実施する場合、必ずしも必要とするものではない。
しかし、本実施の形態のように、軸部形成面５３の面と押さえ面５４との段差により、ストッパ部５１の押さえ面５４と基台１０の上面との間の間隙を狭くする方が見栄えがよい。
【００５０】
また、本実施の形態に係る火袋止め具４０を構成する保持部材６０は、下方に向かって縮径するテーパ状の斜状部６１ａを有する逆円錐台の係止片６１が複数（本実施の形態においては４つ）連続的に接続された形状を呈し、その上部には円盤状のフランジ部６２が一体形成されている。また、保持部材６０の略中央には、上下方向に貫通する貫通孔６３が形成されている。
ここで、水平断面が略円形状の軸部５２が挿通される貫通孔６３の水平断面の形状は、例えば、図６（ａ）に示すように、円形状とすることもできるし、図６（ｂ）に示すように、三角形状とすることもできるし、図７（ａ）に示すように、四角形状とすることもできるし、図７（ｂ）に示すように、六角形状とすることもできる。何れにせよ、軸部５２に貫通孔６３の周面（保持部材６０の内周面）が線接触または面接触して適度な弾接状態で軸部５２が回動自在に保持される寸法形状であればよく、様々な形状を採用することができる。
【００５１】
なお、本実施の形態において、保持部材６０の上に形成されたフランジ部６２の直径は、基台１０に穿設される取付穴１３の直径よりも大きく設定されており、保持部材６０を取付穴１３に挿入した際に、このフランジ部６２が取付穴１３周囲の基台１０の上面に当接して保持部材６０のそれ以上の下方向への侵入が規制されるようになっている。このため、保持部材６０の取付穴１３への装着状態で、フランジ部６２がその厚み分だけ基台１０から僅かに突出することになる（図５参照）。
【００５２】
このように構成された火袋止め具４０の基台１０への組み付けにあたっては、基台１０に保持部材６０に対応する断面円形状の取付穴１３が凹状にドリル等によって穿設され、図５に示すように、この取付穴１３に保持部材６０を挿入し、また、保持部材６０の貫通孔６３に回動部材５０の軸部５２を挿入することよって、火袋止め具４０が基台１０に組み付けられる。なお、この取付けは前後を逆にすることもできる。
なお、基台１０に穿設される取付穴１３は、保持部材６０における各係止片６１の上面と略同径にし、その深さは、保持部材６０の取付穴１３への装着状態において、保持部材６０の貫通孔６３に回動部材５０を挿入したときに、回動部材５０の係止突部５７が保持部材６０の下端部から突出するのを凹状の取付穴１３の底面によって阻止しないよう、換言すれば、係止突部５７が貫通孔６３を通過して保持部材６０下端部からの突出が許容されるよう、適宜範囲に設定される。
【００５３】
ここで、保持部材６０を基台１０の取付穴１３に順に押し込んでいくと、保持部材６０の係止片６１が取付穴１３の側周面に沿って下方向へと摺動する。
そして、本実施の形態においては、保持部材６０の上部に一体形成されたフランジ部６２の直径が基台１０の取付穴１３の径よりも大きく設定されているため、このフランジ部６２が取付穴１３周囲の基台１０の上面に当接して保持部材６０のそれ以上の下方向への侵入が規制され、保持部材６０の取付穴１３への嵌め込みが完了する。なお、このとき、上述の如く、フランジ部６２はその厚み分だけ僅かに基台１０から突出することになる。
【００５４】
また、回動部材５０の軸部５２を保持部材６０の貫通孔６３に順に押し込んでいくと、貫通孔６３の周面により軸部５２におけるスリット溝部５８両側の一対の係止突部５７が互いに接近する方向へ押圧されて弾性変形され、スリット溝部５８を介しての係止突部５７の直径が貫通孔６３の径より小さくなり、係止突部５７の貫通孔６３への通過が許容される。その通過後は、係止突部５７が自己の弾性力によって形状復帰し、軸方向に略直交する係止突部５７の段差面５７ａが貫通孔６３周囲の保持部材６０の下端面（底面）に対向する。
【００５５】
そして、本実施の形態においては、回動部材５０は、保持部材６０のフランジ部６２にストッパ部５１の軸部形成面５３が当接するまで押し込まれ、保持部材６０に装着される。このとき、回動部材５０においては、ストッパ部５１の下端面となる押さえ面５４が基台１０の上面と当接しないように基台１０に対して約０．２ｍｍ〜約１ｍｍの間隙を設けて配設されるようになっている。
このようにして貫通孔６３に挿通された軸部５２は、保持部材６０よって回動自在に保持される。特に、保持部材６０及び回動部材６０は合成樹脂で形成されており、合成樹脂の性質である弾力性のため、保持部材６０は回動部材６０にガタつきなく回動自在に保持される。
【００５６】
このように、本実施の形態に係る火袋止め具４０は、保持部材６０を基台１０の取付穴１３に挿入し、また、回動部材５０を保持部材６０の貫通孔６３に挿入するという簡単な操作で、基台１０に容易に組み付けることができる。
特に、本実施の形態において、回動部材５０の軸部５２は、その下部の係止突部５７が下部に向かって縮径するテーパ状に形成されているため、容易に貫通孔６３へ挿入することができ、更に、保持部材６０においても、その形状が逆円錐台の係止片６１が連続的に接続された形状であり、下端部が下部に向かって縮径するテーパ状に形成されているため、取付穴１３への挿入が容易にできる。
【００５７】
また、この回動部材５０の保持部材６０への装着状態で、回動部材５０におけるストッパ部５１下端面の押さえ面５４が基台１０の上面と当接しないように所定の間隙を設けて配設されているので、回動部材５０の回動によって基台１０の上面に傷が付くことはない。
故に、回動部材５０を保持部材６０の貫通孔６３に挿入するだけで、回動部材５０の回動によって基台１０を傷付けることのない適切な位置に回動部材５０が保持部材６０に取付けられることになる。
【００５８】
このため、回動部材５０と保持部材６０が別体であることから保持部材６０のみを取付穴１３に取付けた状態で販売し、購入後に、使用者が回動部材５０を保持部材６０に取付ける形態とした場合には、使用者（特に提灯Ｌの購入が多い年配者）にとっても火袋止め具４０の回動部材５０を保持部材６０の貫通孔６３に挿入するだけで、基台１０を傷付けることのない適切な位置への取付けが容易にできることになる。また、保持部材６０の貫通孔６３に回動部材５０の軸部５２を楽な力で挿入できるため、無理な外力の付与、殊に、軸部５２のスリット溝部５８の根元側に弾性限界を超えて無理な力がかかることが防止され、スリット溝部５８の根本付近が破損する恐れもなく、組付信頼性も向上する。
したがって、本実施の形態に係る火袋止め具４０は、作業性や加工性に優れるものである。
【００５９】
そして、このようにして基台１０に組み付けられた火袋止め具４０は、基台１０のフランジ部１１上に火袋１の下部外輪４が挿着される際、挿着の邪魔とならないようにストッパ部５１の上方突部５６側の一端が基台１０の上面と対向する位置に回動され、下部外輪４が基台１の外周に嵌め込まれフランジ部１１上に下部外輪４が載置された後は、ストッパ部５１が回動によって基台１０の周囲から食み出して突出するように設計されていることから、ストッパ部５１の押さえ面５４がフランジ部１１上の下部外輪４と対向する位置に回動される。
【００６０】
このとき、本実施の形態においては、回動部材５０のストッパ部５１の一端側に、水平方向に延びる上方突部５６が形成されていることから、その上方突部５６に手を掛けることで簡単に回動操作ができる。
【００６１】
また、本実施の形態に係る火袋止め具４０は、ストッパ部５１の上面が水平方向に延びる水平面となっており、図１４に示した従来例のように金具の一端が外方に向けて斜め上方に突き出ている構造でないため、火袋１を基台１０へ装着する作業時や脚２０及び火袋吊り具３０を基台１０に取付ける作業時等の提灯Ｌの組み立て作業時、または解体作業時に、不意に、これら提灯Ｌの構成部品や周辺にある物に接触して傷を付けてしまうという事態を防ぐことができる。特に、本実施の形態に係る火袋止め具４０は合成樹脂で形成されているため、構成部品等に接触した場合であっても傷を付けにくい。
【００６２】
更に、提灯Ｌを組み立てる際には、初めに、脚２０を取付けるために基台１０をその上面が下となるように載置し、基台１０の下面を上にして脚２０を取付けるのが一般的であり、従来例においては、金具の上面が外方に向けて斜め上方に屈曲しているため、金具が基台１０に取付けられている状態で基台１０を地面等に載置した際に、がたついていて基台１０に脚２０が取付け難く作業性が悪かったが、本実施の形態においては、ストッパ部５１の上面が一様に水平に形成されているため、基台１０を安定的に載置でき、基台１０への脚２０の取付けが行いやすく作業性が良好となる。
【００６３】
そして、ストッパ部５１の押さえ面５４がフランジ部１１上の下部外輪４と対向する位置に配置されることで、火袋１を折り畳み状態から展開してその上部の吊り紐３ａを火袋吊り具３０の掛け具３３に掛けるときに火袋１が上方向に引っ張られても、火袋止め具４０によって下部外輪４が押さえられ、フランジ部１１から下部外輪４が離脱することなく、火袋１が基台１０に安定的に固定される。
【００６４】
このとき、保持部材６０の貫通孔６３に挿通された回動部材５０は、その軸部５２における係止突部５７が、貫通孔６３を通過後に自己の弾性力で復元して貫通孔６３の径より大きくなり、その上面の段差面５７ａが貫通孔６３周囲の保持部材６０の下端面（底面）に対向するため、火袋１の展開により上方向に引っ張られたときでも、係止突部５７の段差面５７ａが保持部材６０の下端面に当接（係合）することで、軸部５２の上方向への移動が規制され、回動軸部５０は保持部材６０に安定して保持される。即ち、火袋１が上方向に引っ張られたときでも、回動部材５０の係止突部５７が保持部材６０の下端面に係止されるため、回動部材５０が保持部材６０から離脱する（上方へ抜け出す）ことはなく、安定した取付け状態が維持される。
【００６５】
また、本実施の形態においては、保持部材６０が下方に向かって縮径するテーパ状の斜状部６１ａを有する逆円錐台の係止片６１によって形成されているため、保持部材６０を基台１０の取付穴１３に挿入した際に、取付穴１３の周面に斜状部６１ａの上部外周（係止片６１の上面外周）が摺接し、更に、合成樹脂の性質である弾力性により、斜状部６１ａの上部外周が下端側に撓んだ状態になる。このため、火袋１を吊るべく折り畳み状態から展開するときに上方向の引っ張り力が加えられても、斜状部６１ａの上部外周が取付穴１３の内周面に引っ掛かって（係合して）圧接力（接触抵抗）が増し、保持部材６０が取付穴１３から離脱する（上方へ抜け出す）ことはない。即ち、保持部材６０においても、安定した取付け状態が維持されている。なお、図においては、保持部材６０は逆円錐台の係止片６１が４つ連続的に接続された構造を呈しているが、取付穴１３の周面に対して所定の接触抵抗以上となり取付穴１３から離脱し難い構造であれば、勿論、係止片６１の数はこれに限定されるものではなく、また、係止片６１を軸方向に断続的に配設した構造とすることも可能である。
【００６６】
更に、火袋１が展開した使用状態では、火袋１における本体２の下部が上方向に向かってカーブする形状となるため、本実施の形態においては、それに対応し、回動部材５０におけるストッパ部５１一端の側面側には、押さえ面５４から連続して上方向に傾斜する傾斜面５５が形成されている。このため、回動部材５０が基台１に装着された状態でストッパ部５１が火袋１の本体２の下部に接触して火袋１を破損させる恐れはない。
【００６７】
このように、本実施の形態に係る提灯Ｌは、光源を収容する火袋１と、上面側に火袋１の上部を保持する火袋吊り具３０が立設されると共に、火袋１の下部が設置され、下面側に複数本の脚２０が取付けられる基台１０と、基台１０の上面側に取付けられ、火袋１の下部を基台１０に固定する火袋止め具４０とを具備し、火袋止め具４０は、スリット溝部５８によって弾性的に変位可能に形成された係止突部５７を下部に設けた軸部５２及び軸部５２の上部に垂直に一体形成され水平方向に延びたストッパ部５１からなり基台１０に対して回動自在な回動部材５０と、基台１０に穿設した取付穴１３に装着され、回動部材５１の軸部５２が挿通される貫通孔６３を有し、回動部材５０の軸部５２を回動自在に保持する保持部材６０とから構成され、回動部材５０の軸部５２においては、保持部材６０の貫通孔６３への挿入に伴って係止突部５７がその弾性変化によって貫通孔６３を通過し、その通過後に、自己の弾性力で復元して保持部材６０に係合することにより、保持部材６０からの離脱が防止され、また、回動部材５０のストッパ部５１においては、保持部材６０への装着状態で、その下端面が基台１０の上面に当接しないように配設され、かつ、長手方向の両端部の上面が外方に向けて傾斜しておらず水平に形成されているものである。
【００６８】
したがって、本実施の形態に係る提灯Ｌによれば、回動部材５０を保持部材６０に挿入するという簡単な操作で、回動部材５０が保持部材６０に回動自在に安定して保持されてその取付状態が維持され、また、このとき、回動部材５０のストッパ部５１下端面の押さえ面５４が基台１０の上面に当接しない適切な配置状態となる。即ち、回動部材５０を保持部材６０の貫通孔６３に挿入するだけで、回動部材５０の回動によって基台１０を傷付けることのない適切な位置に回動部材５０が保持部材６０に取付けられることになる。
このため、使用者にとっても、火袋止め具４０の回動部材５０において、その回動によって基台１０を傷付けることのない適切な位置への取付けが容易にできることになる。
【００６９】
また、本実施の形態に係る提灯Ｌは、作業性や加工性に優れるものである。
特に、回動部材５０における軸部５２の下部に設けた係止突部５７は、下方に向かって縮径するテーパ状に形成されていることから、保持部材６０の貫通孔６３への挿入が容易にできる。また、無理な外力が付与されることが防止されることから、回動部材５０を破損する恐れもない。
【００７０】
加えて、保持部材６０においても、下方に向かって縮径するテーパ状の段差面５７ａを有する逆円錐台の係止片５７によって形成されているため、保持部材６０の貫通孔６３への挿入が容易にでき、更に、段差面５７ａの上部外周が取付穴１３に係合し離脱が防止される。よって、保持部材６０を基台１０の取付穴１３に挿入するという簡単な操作だけで安定して固定され、組み付けが容易である。
更に、回動部材５０及び保持部材６０を合成樹脂で形成したことで、適度な弾性が付与されることから、基台１０に穿設した取付穴１３への保持部材６０の挿入や、保持部材６０の貫通孔６３への軸部５２の挿入が一層容易に行える。加えて、回動部材５０及び保持部材６０が、合成樹脂で形成してあることで、挿入後は、ガタつきなく保持され、更に、任意の強い機械的強度を有することから、繰り返しの使用に耐えることができる。
【００７１】
また、回動部材５０のストッパ部５１においては、長手方向の両端部の上面が外方に向けて傾斜しておらず上面が一様に水平に形成されてなるものであるから、提灯Ｌの組み立て作業時または解体作業時に、不意に、これら提灯Ｌの構成部品や周辺にある物に接触して傷付けてしまうという事態を防止することができる。
更に、本実施の形態においては、回動部材５０のストッパ部５１の一端の側面側には、火袋１の下部外輪４と対向する押さえ面５４から斜め上方に向かって傾斜する傾斜面５５が形成されているため、展開状態で上方向に向かってカーブする形状となる火袋１の本体２の下部にストッパ部５１が接触して火袋１を破損してしまう恐れもない。
加えて、回動部材５０及び保持部材６０は、合成樹脂で形成したものであることから、例え、構成部材等に接触しても傷を付けにくい。
【００７２】
更に、本実施の形態においては、回動部材５０のストッパ部５１の長手方向一端側に、水平方向に延びる上方突部５６を形成していることから、その上方突部５６に手を掛けて簡単に回動操作ができ、操作性が良好である。
このようにして、作業時の傷付きを防止でき、作業性や加工性にも優れた提灯Ｌとなる。
【００７３】
ところで、本発明を実施する場合には、回動部材７０は、上記のストッパ部５１及び軸部５２の形状に限定されるものではなく、軸部５２においては、係止突部が溝部によって弾性的に変位可能に形成されていればよく、例えば、スリット溝部５８を十字状に形成（軸部５２を４分割するように形成）することもできるし、更に、軸部の形状を図８に示すような形状とすることができる。
【００７４】
図８に示すように、変形例１に係る回動部材７０の軸部７２は、ストッパ部５１から垂直方向に延び、途中で段差的に縮径する軸本体部７９とその下部に一体形成された下端に向かって縮径するテーパ状の係止突部７７からなり、軸本体部７９と係止突部７７と間に、上部が開口し下部に向かって縮径する溝部７８が環状に連続して形成されている。なお、変形例１に係る回動部材７０も合成樹脂により一体に形成されたものである。
そして、この軸本体部７９と係止突部７７の間に形成された溝部７８によって、係止突部７７は内方（縮径方向）への弾性変形が許容され、弾性的に変位可能となっている。
【００７５】
また、係止突部７７の上面は、軸本体部７９の軸方向に略直交する段差面７７ａとされていて、上記実施の形態における係止突部５７と同様、図８（ｂ）に示すように、弾性変形により保持部材６０の貫通孔６３を通過した係止突部７７は、自己の弾性力により形状復帰して、その段差面７７ａが貫通孔６３周囲の保持部材６０の下端面（底面）に対向するようになっている。そして、火袋１の展開により上方への外力が加えられたときでも、この段差面７７ａが貫通孔６３周囲の保持部材６０の下端面に当接し、貫通孔６３に挿通された軸部７２の上方向の移動が規制されるようになっている。
なお、係止突部７７の略水平方向への突出度合も、上記実施の形態における係止突部５７と同様、溝部７８を閉塞する方向に係止突部７７を弾性変形させたときに、溝部７８を介しての係止突部７７の直径が、保持部材６０の貫通孔６３の直径より小さくなり、係止突部７７の通過が許容されるよう、適宜範囲に設定される。
【００７６】
そして、このように構成された回動部材７０の軸部７２においても、保持部材６０の貫通孔６３に押し込まれると、貫通孔６３の周面により軸本体部７９と係止突部７７と間に形成された溝部７８を介して係止突部７７が軸本体部７９に接近する方向へ押圧されて弾性変形され、貫通孔６３の径より小さくなり、係止突部７７の貫通孔６３への通過が許容される。その通過後は、係止突部７７が自己の弾性力により形状復帰し、軸方向に略直交する係止突部７７の段差面７７ａが貫通孔６３周囲の保持部材６０の下端面（底面）に対向する。このため、火袋１を吊るべく折り畳み状態から展開するときに上方向の引っ張り力が加えられたときでも、係止突部７７の段差面７７ａが保持部材６０の下端面に当接（係合）し、軸部７２の上方向への移動が規制され、保持部材６０からの離脱が防止される。
更に、本変形例１では、回動部材７０のストッパ部５１は、保持部材６０に形成された丘陵状の凸部６６に嵌合する凹部６９を設け、保持部材６０の特定の位置で嵌合するものであり、火袋１の下部外輪４がストッパ部５１によって効率よく抑えられた位置で、両者が嵌合し、その嵌合によって安定した保持状態が維持できる。この変形例１では、保持部材６０に凸部６６と回動部材７０に凹部６９を設けたものであるが、逆に、回動部材７０に凸部６６と保持部材６０に凹部６９を設けることもできる。何れにせよ、相対的に嵌合が生じるものであればよい。
【００７７】
また、本発明を実施する場合には、ストッパ部においても、上記のストッパ部５１の形状に限定されるものではなく、例えば、図９または図１０に示すような形状に形成することも可能である。
図９に示すように、変形例２に係る回動部材８０のストッパ部８１は、上面が水平に形成されてなる上方突部８６を長手方向一端部の上部に設けており、ストッパ部８１の上部は段差状となっているものの、その上面は水平に形成されている。また、その下面も、上記のストッパ部５１と同様、段差状に形成されていて、下部に向かって軸部５２が突出形成されている面を軸部形成面８３とし、軸部形成面８３から段差を介して連続に形成され、火袋１の下部外輪４に対向させる面を押さえ面８４としている。更に、ストッパ部８１の長手方向一端の側面は、押さえ面８４から連続して斜め上方向に傾斜する傾斜面８５となっており、下部が上方に向かってカーブする形状となる火袋１の展開状態に対応している。
【００７８】
このように構成された回動部材８０においても、ストッパ部８１の長手方向一端部の上部に、水平方向に延びる上方突部８６が形成されていることから、その上方突部８６に手を掛けることで簡単に回動部材８０の回動操作ができることになる。そして、この変形例２に係る回動部材８０においても、長手方向の両端部の上面が外方に向けて傾斜していないことから、提灯Ｌの組み立て作業時または解体作業時に、不意に、これら提灯Ｌの構成部品や周辺にある物に接触して傷付けてしまうという事態は防止される。また、ストッパ部８１の一端部の側面に、火袋１の下部外輪４と対向する押さえ面８４から斜め上方に向かって傾斜する傾斜面８５が形成されているため、展開状態で上方向に向かってカーブする形状となる火袋１の下部にストッパ部８１が接触して火袋１を破損してしまう恐れはない。
【００７９】
また、図１０に示すように、変形例３に係る回動部材９０のストッパ部９１は、上部に長手方向に延びる弓なりに曲がっている弧状山脈状の上方突部９６を形成しているものの上面は水平に形成され、また、その下面は、上記のストッパ部５１と同様、段差状に形成されていて、下部に向かって軸部５２が突出形成されている面を軸部形成面９３し、軸部形成面９３から段差を介して連続に形成され、火袋１の下部外輪４に対向させる面を押さえ面９４としている。更に、ストッパ部９１の長手方向一端の側は、押さえ面９４から連続して斜め上方向に傾斜する傾斜面９５となっており、火袋１の下部が上方に向かってカーブする形状となる火袋１の展開状態に対応している。
【００８０】
このような構成のストッパ部９１においても、上部に長手方向に延びる上方突部９６が形成されていることから、その上方突部９６に手を掛けることで簡単に回動部材５０の回動操作ができることになる。そして、この変形例３に係る回動部材８０においても、長手方向の両端部の上面が外方に向けて傾斜していないことから、提灯Ｌの組み立て作業時または解体作業時に、不意に、これら提灯Ｌの構成部品や周辺にある物に接触して傷付けてしまうという事態は防止される。また、ストッパ部９１の一端部の側面に、火袋１の下部外輪４と対向する押さえ面９４から斜め上方に向かって傾斜する傾斜面９５が形成されているため、展開状態で上方向に向かってカーブする形状となる火袋１の下部にストッパ部９１が接触して火袋１を破損してしまう恐れはない。
【００８１】
更に、本発明を実施する場合には、保持部材は、その形状や基台１０への装着形態が、上記の保持部材６０の形状や装着形態に限定されるものではなく、基台１０の取付穴１３から離脱し難く基台１０に対して安定した装着状態が維持できれば、例えば、図１１や図１２に示すような構造を採用することもできる。
図１１に示すように、変形例４に係る保持部材１００は、上記の保持部材６０と同様、合成樹脂で形成されており、下方に向かって縮径するテーパ状の斜状部１０１ａを有する略逆円錐台の係止片１０１が複数（図１１においては４つ）連続的に接続された形状を呈し、その中心には上下方向に貫通する貫通孔１０３が形成され、また、その上部にはフランジ部１０２が一体形成されている。そして、この変形例４に係る保持部材１００においては、更に、長さ方向に延びるスリット開口１０４が一側面に形成されており、水平断面が略Ｃ字状となっている。
【００８２】
このような構成の保持部材１００は、その貫通孔１０３の周囲に設けられた上下方向に貫通するスリット開口１０４によって弾性的に変位可能となることから、基台１０に穿設した取付穴１３に挿入する際に、スリット開口１０４を閉塞する方向に弾性変形させ、保持部材１０の係止片１０１の直径を基台１０の取付穴１３の直径より小さくして挿入することができる。よって、基台１０の取付穴１３への挿入が極めて容易にできることになる。
【００８３】
また、この保持部材１００においても、上記保持部材６０と同様、取付穴１３への挿入状態で、係止片１０１における斜状部１０１ａの上部周囲（係止片１０１の上面周囲）が下端側に撓んで、斜状部１０１ａの上部周囲が取付穴１３の周面（内壁面）に圧接し接触抵抗が増すため、取付穴１３から離脱し難くなっている。
特に、斜状部１０１ａの上部の直径が、通常状態では取付穴１３の直径よりやや大きく、スリット開口１０４を閉塞する方向に弾性変形されたときには取付穴１３の直径より小さく取付穴１３への通過が許容されるように設定されることで、取付穴１３に挿入された保持部材１００は、自己の弾性力により形状復帰しようとして、取付穴１３の内周面に対して弾接状態で拡径方向への復元力が働くため、接触抵抗が増し、保持部材１００の取付穴１３からの離脱が一層困難となる。また、周囲の湿度や温度等の変化によって木材からなる基台１０の取付穴１３の寸法が変化した場合にも、対応できる。
よって、変形例４に係る保持部材１００によれば、取付穴１３への組み付けが極めて容易であるうえに、簡単な構造で離脱を一段と容易に防止することができ、より安定した取付け状態を維持できる。
【００８４】
更に、図１２に示すように、変形例５に係る保持部材１１０は、中心部に回動部材５０が挿通される貫通孔１１３を有し、下端部が下部に向かって縮径するテーパ状に形成されており、上部にはフランジ部１１２が一体形成されている。このフランジ部１１２は、上述の保持部材６０と同様、その外径が基台１０の取付穴１３の径より大きく形成されていて、基台１０への装着時に、基台１０からその厚み分が僅かに突出するようになっている。更に、このフランジ部１１２からは外方向に向かって水平に突出する一対の突出片１１１が一体に形成されていて、各突出片１１１には、ネジ１１４による接続のためのネジ穴１１１ａが穿設されている。
【００８５】
このように構成された保持部材１１０は、フランジ部１１２より下部が基台１０の取付穴１３に押し込まれ、フランジ部１１２が取付穴１３周囲の基台１０上面に当接して保持部材１１０のそれ以上の下方向への侵入が規制されたところで、フランジ部１１２に一体形成された突出片１１１のネジ穴１１１ａを通してネジ１１４によって基台１０に固定される。特に、変形例５に係る保持部材１１０は、その下端部が下部に向かって縮径するテーパ状に形成されているため、容易に基台１０の取付穴１３に挿入することができる。また、ネジ穴１１１ａを通してネジ１１４によって保持部材１１０を基台１０に取付ける構造であるため、保持部材１１０は堅固に基台１０に固定される。
勿論、本発明を実施する場合には、ネジ１１４の代わりに釘を用いてもよく、また、基台１０の木材に含浸するような接着剤等を使用して保持部材を基台１０の取付穴１３に固着することも可能であり、接着剤の使用した場合、木材の亀裂等を防止することもできる。
【００８６】
更に、上記実施の形態及びその変形例においては、回動部材５０及び保持部材６０が合成樹脂からなるものであるが、本発明を実施する場合には、適度な弾性を有し接触抵抗が高い材料であれば何れでも使用可能であり、例えば、硬質ゴム、シリコン、金属等で形成することも可能である。
【００８７】
なお、本実施の形態においては、基台１０に穿設した取付穴１３は、水平断面が略円形状の保持部材６０に対応し、取付穴１３の内周面に係止片６１の上部周囲が圧接されて係止片６１が離脱することのないよう、水平断面が略円形状の丸孔としているが、本発明を実施する場合には、角孔等にすることも可能である。しかし、丸孔の場合はドリル等の穿設処理で容易に正確な加工ができる。
【００８８】
上記実施の形態及びその変形例の提灯Ｌは、光源を収容する火袋１と、上面側に火袋１の上部を保持する火袋吊り具３０が立設されると共に、火袋１の下部が設置され、下面側に複数本の脚２０が取付けられる基台１０と、基台１０の上面側に取付けられ、火袋１の下部を基台１０に固定する火袋止め具４０とを具備し、この火袋止め具４０は、軸部５２，７２及び軸部５２，７２の上部に垂直に一体形成され水平方向に延びたストッパ部５１，８１，９１からなり基台１０に対して回動自在な回動部材５０，７０，８０，９０と、基台１０に穿設した取付穴１３に装着され回動部材５０，７０，８０，９０の軸部５２，７２を回動可能に保持する保持部材６０，１００，１１０とから構成され、回動部材５０，７０，８０，９０の軸部５２，７２においては、溝部５８，７８によって弾性的に変位可能に形成された係止突部５７，７７が下部に設けられていて、保持部材６０，１００，１１０の貫通孔６３，１０３，１１３への挿入に伴い、係止突部５７，７７がその弾性変化によって貫通孔６３，１０３，１１３を通過し、その通過後に、自己の弾性力で復元し保持部材６０，１００，１１０に係合することにより、保持部材６０，１００，１１０からの離脱が防止され、また、回動部材５０，７０，８０，９０のストッパ部５１，８１，９１においては、保持部材６０，１００，１１０への装着状態で、その下端面が基台１０の上面に当接しないように配設され、かつ、長手方向の両端部の上面が斜め上方の外方に向けて傾斜していないものである。
【００８９】
即ち、上記実施の形態及びその変形例１乃至変形例５の提灯Ｌは、光源を収容する火袋１と、火袋１の上部を保持する火袋吊り具３０が立設されると共に、火袋吊り具３０が立設される面の反対側の下面に複数本の脚２０が取付けられる基台１０と、基台１０の上面側に取付けられ、火袋１の下部を基台１０に固定する火袋止め具４０とを具備し、火袋止め具４０は、基台１０に穿設した取付穴１３に装着される保持部材６０，１００，１１０と、保持部材６０，１００，１１０に対して回動自在に挿入され、保持部材６０，１００，１１０との係合によって離脱を防止する軸部５２，７２及び軸部の５２，７２上部から水平方向に延びたストッパ部５１，８１，９１とを有する回動部材５０，７０，８０，９０で構成したものである。
【００９０】
ところで、上記火袋１は、ローソク、なつめ電球、ＬＥＤ等の光源を収容する、所謂、提灯Ｌの本体部分を意味するものである。
そして、上記基台１０は、光源を保持し、火袋１の下部が設置され、かつ、火袋吊り具３０の取付台となるものであり、この火袋吊り具３０は、提灯Ｌを展開する背骨に当るものである。
特に、本発明の実施の形態の提灯Ｌは、基台１０の下面側に複数本の脚２０が取付けられる事例で説明したが、脚２０が取付けられることのない提灯Ｌにも使用できるものである。
【００９１】
即ち、光源を収容する火袋１と、火袋１の下面に取付けられる基台１０と、基台１０の火袋１側に取付けられ、火袋１の下部を基台１０に固定する火袋止め具４０とを具備し、火袋止め具４０は、基台１０に穿設した取付穴１３に装着される保持部材６０，１００，１１０と、保持部材６０，１００，１１０に対して回動自在に挿入され、保持部材６０，１００，１１０との係合によって離脱を防止する軸部５２，７２及び軸部５２，７２の上部から水平方向に延びたストッパ部５１，８１，９１とを有する回動部材５０，７０，８０，９０で構成される脚２０で自立することのない提灯Ｌとすることができる。
【００９２】
ここで、上記火袋止め具４０は、基台１０に設置される火袋１の下部が上方向へ移動するのを規制して火袋１を基台１０に固定し、火袋１の基台１０からの離脱を防止するものであり、火袋１の上方向への移動を規制する回動部材５０，７０，８０，９０と、基台１０に穿設した取付穴１３に挿入され回動部材５０，７０，８０，９０を回動自在に保持する保持部材６０，１００，１１０とによって構成されている。
【００９３】
上記回動部材５０，７０，８０，９０は、保持部材６０，１００，１１０の貫通孔６３，１０３，１１３に挿通される軸部５２，７２と、軸部５２，７２に垂直で水平方向に延びて基台１０の上面側に配設され、火袋１の下部に対向してその上方向への移動を規制するストッパ部５１，８１，９１とを有するものである。更に、軸部５２，７２は、溝部５８，７８によって弾性的に変位可能に形成された係止突部５７，７７を下部に設けており、この係止突部５７，７７と保持部材６０，１００，１１０との係合によって離脱を防止する。なお、この溝部５８，７８は、係止突部５７，７７の弾性変形を可能とするものであり、その形状は特に問われるものではない。
【００９４】
また、上記保持部材６０，１００，１１０は、回動部材５０，７０，８０，９０の軸部５２，７２が挿通される貫通孔６３，１０３，１１３を有し、貫通孔６３，１０３，１１３への軸部５２，７２の挿入状態で軸部５２，７２を回転自在に保持するものであり、基台１０に穿設した取付穴１３に挿入されて基台１０に取付けられる。その取付手段は、火袋１の展開により回動部材５０，７０，８０，９０を介して保持部材６０，１００，１１０が上方向に引っ張られたときでも取付穴から離脱する（上方へ抜け出す）ことなく、安定した取付状態を維持できれば、特に問われるものではなく、例えば、保持部材６０，１００，１１０に係止片６１，１０１を形成し、この係止片６１，１０１を基台１０に係合させる物理的手段や、接着剤やネジ１１４等による機械的手段等が挙げられる。なお、保持部材６０，１００，１１０において、回動部材５０，７０，８０，９０の軸部５２，７２に対して所定の接触抵抗で軸部５２，７２を回動自在に保持することができれば、貫通孔６３，１０３，１１３の形状は、特に問われるものではなく、水平断面が略円形状の貫通孔６３，１０３，１１３とすることもできるし、水平断面が略角形状の貫通孔６３，１０３，１１３に形成することもできる。
【００９５】
したがって、回動部材５０，７０，８０，９０を保持部材６０，１００，１１０に挿入するという簡単な操作で、回動部材５０，７０，８０，９０が保持部材６０，１００，１１０に回動自在に安定して保持され、回動部材５０，７０，８０，９０の回動によって基台１０を傷付けることのない適切な位置にその取付状態が維持されることになる。また、使用者にとっても、火袋止め具４０の回動部材５０，７０，８０，９０において、その回動によって基台１０を傷付けることのない適切な位置への取付けが容易にできることになる。故に、この発明に係る提灯Ｌは、作業時の傷付きを防止でき、作業性や加工性に優れるものである。
【００９６】
特に、上記実施の形態及びその変形例１乃至変形例５の提灯Ｌは、火袋止め具４０のストッパ部５１，８１，９１が、軸部５２，７２の上部から水平方向に延び、その下端面が基台１０の上面に当接しないように配設され、回動によって基台１０の周囲から食み出して突出する構造であることから、回動部材５０，７０，８０，９０を保持部材６０，１００，１１０の貫通孔６３，１０３，１１３に挿入するだけで、回動部材５０，７０，８０，９０のストッパ部５１，８１，９１の下面が基台１０の上面に当接しない適切な配置状態となり、確実に回動部材５０，７０，８０，９０の回動によって基台１０を傷付けることのない適切な位置に回動部材５０，７０，８０，９０が保持部材５０，７０，８０，９０に取付けられることになる。
【００９７】
上記実施の形態及びその変形例１乃至変形例５の提灯Ｌは、火袋止め具４０の軸部５２，７２が、保持部材６０，１００，１１０に対して回動自在に挿入され、自己の弾性力によって保持部材６０，１００，１１０の端部と係合してその離脱を防止するものである。
即ち、保持部材６０，１００，１１０の貫通孔６３，１０３，１１３に回動部材５０，７０，８０，９０の軸部５２，７２が挿入されるだけで、軸部５２，７２の下部に設けられた係止突部５７，７７が保持部材６０，１００，１１０の端部と係合してその離脱が困難となることから、簡単な係合方法で安定した取付け状態が維持できる。
【００９８】
特に、回動部材５０，７０，８０，９０の軸部５２，７２の下部に設けられる係止突部５７，７７は、下部に向かって縮径するテーパ状に形成されているものであり、保持部材６０，１００，１１０の貫通孔６３，１０３，１１３への挿入を容易に行えるようにしたものである。
即ち、回動部材５０，７０，８０，９０における軸部５２，７２の下部に設けた係止突部５７，７７は、下方に向かって縮径するテーパ状に形成されていることから、保持部材６０，１００，１１０の貫通孔６３，１０３，１１３への挿入が容易にできる。また、無理な外力の付与が防止され、回動部材５０，７０，８０，９０を破損する恐れがない。
【００９９】
上記実施の形態及びその変形例１乃至変形例５の提灯Ｌは、回動部材５０，７０，８０，９０のストッパ部５１，８１，９１の一端部の側面側に、斜め上方に向かって傾斜する傾斜面５５，８５，９５が形成されているものであり、下部が上方に向かってカーブする形状となる展開状態の火袋１に対応したものである。
即ち、回動部材５０，７０，８０，９０のストッパ部５１，８１，９１の一端部の側面側には、斜め上方に向かって傾斜する傾斜面５５，８５，９５が形成されていることから、展開状態で上方向に向かってカーブする形状となる火袋１の下部に回動部材５０，７０，８０，９０のストッパ部５１，８１，９１が接触して、火袋１を破損してしまう恐れはない。
【０１００】
また、回動部材５０，７０，８０，９０のストッパ部５１，８１，９１においては、長手方向の両端部の上面が斜め上方の外方に向けて傾斜していない構造であり、従来のように、一端が斜め上方の外方に突き出ていないため、提灯Ｌの組み立て作業時または解体作業時に、不意に、これら提灯Ｌの構成部品や周辺にある物に接触して傷付けてしまうという事態を防止することができる。
【０１０１】
上記実施の形態の形態及びその変形例１乃至変形例５の提灯Ｌの回動部材５０，７０，８０，９０及び保持部材６０，１００，１１０は、合成樹脂で形成されたものである。
即ち、回動部材５０，７０，８０，９０及び保持部材６０，１００，１１０は、合成樹脂で形成されていることから、構成部材等に接触しても傷が付きにくい。また、適度な弾性を有し、基台１０に穿設した取付穴１３への保持部材６０，１００，１１０の挿入や、保持部材６０，１００，１１０の貫通孔６３，１０３，１１３への回動部材５０，７０，８０，９０の軸部５２，７２の挿入が容易にできる。更に、挿入後は、ガタつきなく保持される。加えて、任意の強い機械的強度を有し、繰り返しの使用に耐えることができる。
【０１０２】
上記実施の形態及びその変形例１乃至変形例５の提灯Ｌは、回動部材５０，７０，８０，９０のストッパ部５１，８１，９１の一端部または上部に、所定方向に延びる上方突部５６，８６，９６を形成しているものであり、上方突部５６，８６，９６により回動操作を容易に行えるようにしたものである。
故に、回動部材５０，７０，８０，９０のストッパ部５１，８１，９１の一端部または上部には、所定方向に延びる上方突部５６，８６，９６が形成されていることから、その上方突部５６，８６，９６に手を掛けて簡単に回動操作ができ、操作性が良好である。
【０１０３】
ここで、上記実施の形態及びその変形例１乃至変形例４の提灯Ｌは、火袋止め具４０の保持部材６０，１００が、軸部５２，７２が挿通される貫通孔６３，１０３を有し、基台１０に穿設した取付穴１３に弾接し、その離脱を困難とする係止片６１，１０１を設けたものである。
即ち、火袋止め具４０の保持部材６０，１００は、貫通孔６３，１０３に軸部５２，７２が挿通されるだけで、適切な位置に回動部材５０，７０，８０，９０を保持し、また、係止片６１，１０１によって基台１０に穿設した取付穴１３に弾接し、取付穴１３からの離脱が困難となることから、簡単な係合方法で、安定した取付け状態が維持できる。
【０１０４】
特に、上記実施の形態及びその変形例１乃至変形例４の提灯Ｌの保持部材６０，１００は、下方に向かって縮径するテーパ状の斜状部６１ａ，１０１ａを有する逆円錐台の係止片６１，１０１によって形成されており、係止片６１，１０１における斜状部６１ａ，１０１ａの上部周囲が基台１０に穿設した取付穴１３の周面に係合することにより、取付穴１３からの離脱が防止されるものである。
即ち、保持部材６０，１００は、下方に向かって縮径するテーパ状の斜状部６１ａ，１０１ａを有する逆円錐台の係止片６１，１０１によって形成されているため、基台１０に穿設した取付穴１３への挿入が容易にできる。更に、保持部材６０，１００を基台１０の取付穴１３に挿入した際に、係止片６１，１０１の斜状部６１ａ，１０１ａの上部周囲が取付穴１３の周面（内壁面）に摺接し、下端側に撓んだ状態となる。このため、火袋１の展開により上方向への引っ張り力が加えられたときでも、圧接力（接触抵抗）が増し、係止片６１，１０１における斜状部６１ａ，１０１ａの上部周囲が基台１０の取付穴１３の周面（内壁面）に係合することにより、保持部材６０，１００の取付穴１３からの離脱が防止される。したがって、基台１０の取付穴１３に簡単に挿着できるうえに、容易に離脱できなくなり、簡単な構成で安定した取付け状態が維持できる。
【０１０５】
また、上記実施の形態の変形例４の提灯Ｌの保持部材１００は、軸部５２，７２が挿通される貫通孔１０３の周囲に上下方向に貫通するスリット開口１０４を設け、その弾性的に変位によって基台１０に穿設した取付穴１３に固着自在としたものであり、上下方向に貫通するスリット開口１０４を一側面に有して断面が略Ｃ字状に形成されたものである。
即ち、保持部材１００は、その側面部に上下方向に貫通するスリット開口１０４が設けられ、弾性的に変位可能に形成されていることから、基台１０に穿設した取付穴１３に挿入する際に、スリット開口１０４を狭める方向へ弾性変形させ、保持部材１００の直径を基台１０に穿設した取付穴１３の径より小さくさせて挿入することかできる。また、挿入後は自己の弾性力により復元し、取付穴１３の周面に対して弾接状態とすることができ、離脱防止を図ることができる。故に、保持部材１００を取付穴１３へ極めて容易に挿入することができ、更に、簡単な構造で保持部材１００が容易に離脱することのない構造とすることができる。即ち、簡単な構成で安定した取付け状態が維持できる。
【０１０６】
更に、上記実施の形態の変形例５の提灯Ｌの保持部材１１０は、ネジ１１４によって基台１０に取付けるものである。
即ち、保持部材１１０は、ネジ１１４によって基台１０に取付けることから、常套手段で固着が可能であり、保持部材１１０を基台１０に堅固に固定することができる。
【０１０７】
また、上記実施の形態の変形例１の提灯Ｌは、火袋止め具４０のストッパ部５１に、保持部材６０と特定の位置で嵌合する凹部６９が設けているものである。
即ち、ストッパ部５１は、保持部材６０に形成された丘陵状の凸部６６に嵌合する凹部６９を設け、保持部材６０の特定の位置で嵌合することから、その停止位置を正確にすることができ、かつ、容易に変化することがない。
【符号の説明】
【０１０８】
１    火袋
１０  基台
１３  取付穴
２０  脚
３０  火袋吊り具
４０  火袋止め具
５０，７０，８０，９０  回動部材
５１，８１，９１  ストッパ部
５２，７２  軸部
６０，１００，１１０  保持部材
６１，１０１  係止片
６１ａ，１０１ａ  斜状部
６３，１０３，１１３  貫通孔
６６  凸部
６９  凹部
１０４  スリット開口
【図１】
0005700672.tif 000002
【図２】
0005700672.tif 000003
【図３】
0005700672.tif 000004
【図４】
0005700672.tif 000005
【図５】
0005700672.tif 000006
【図６】
0005700672.tif 000007
【図７】
0005700672.tif 000008
【図８】
0005700672.tif 000009
【図９】
0005700672.tif 000010
【図１０】
0005700672.tif 000011
【図１１】
0005700672.tif 000012
【図１２】
0005700672.tif 000013
【図１３】
0005700672.tif 000014
【図１４】
0005700672.tif 000015